(57)【特許請求の範囲】
【請求項１】
側面の開口から挿入されたディスクに対して搬送およびデータの処理を行うディスクローダ部と、該ディスクローダ部から入力されるディスク再生信号または外部から入力されるテレビジョン信号に基づいて映像および音声を出力するテレビ部とを備え、ディスクローダ部に、内部のディスクの有無を検知して状態が変化するディスクセンサと、ディスクローダ部の各部の動作制御を行いかつディスクセンサの状態に基づいてディスクの装填状態を検出するディスク検出処理を行うサブマイクロコンピュータとが設けられ、ディスク処理時以外はディスクローダ部の電源をオフ状態にするディスクローダ内蔵パネル型テレビ装置において、
前記テレビ部に、テレビ部の各部の動作制御を行いかつ前記サブマイクロコンピュータへ動作指示を出しかつ前記ディスクセンサの状態に基づいて前記ディスク検出処理を行うメインマイクロコンピュータを設け、
前記ディスクセンサと前記メインマイクロコンピュータとへ、常時駆動電力を供給し、
前記ディスクローダ部の電源オン中は、前記サブマイクロコンピュータで前記ディスク検出処理を行い、電源オフ中は、前記メインマイクロコンピュータで前記ディスク検出処理を行うことを特徴とするディスクローダ内蔵パネル型テレビ装置。
【請求項２】
側面の開口から挿入されたディスクを処理するディスクローダ部と、該ディスクローダ部から入力されるディスク再生信号または外部から入力されるテレビジョン信号に基づいて映像および音声を出力するテレビ部とを備え、ディスクローダ部に、内部のディスクの有無を検知して状態が変化する検知手段と、該検知手段の状態に基づいてディスクの装填状態を検出するディスク検出処理を行う制御手段とが設けられ、ディスク処理時以外はディスクローダ部の電源をオフ状態にするディスクローダ内蔵パネル型テレビ装置において、
前記テレビ部に、前記検知手段の状態に基づいて前記ディスク検出処理を行う制御手段を設け、
前記検知手段と前記テレビ部の前記制御手段とへ、常時駆動電力を供給し、
前記ディスクローダ部の電源オン中は、前記ディスクローダ部の前記制御手段で前記ディスク検出処理を行い、電源オフ中は、前記テレビ部の前記制御手段で前記ディスク検出処理を行うことを特徴とするディスクローダ内蔵パネル型テレビ装置。
【発明の詳細な説明】
【技術分野】
【０００１】
本発明は、側面の開口から挿入されたディスクを処理するディスクローダ部を内蔵したディスクローダ内蔵パネル型テレビ装置に関するものである。
【背景技術】
【０００２】
近年、映像や音声のデータを記録する媒体として例えばＤＶＤ（Digital Versatile Disk）のようなディスクが普及しているのに伴い、該ディスクに対してデータの再生等の処理を行うＤＶＤプレーヤのような単一型の装置や、同処理を行うモジュールを内蔵したテレビのような複合型の装置が各種提案されている。複合型の装置において上記モジュール、即ち実際にディスクが装填され、該ディスクからデータを読み取って再生等する部分は、ディスクローダ部と呼ばれている。
【０００３】
装置内部にディスクを装填する方式として、装置の前側面や横側面等に設けられた開口からディスクを内部に挿入するスロットイン方式や、トレイにディスクを載置して内部に引き込むトレイ方式等がある。ＬＣＤ（Liquid Crystal Display）やＰＤＰ（Plasma Display Panel）のようなディスプレイを用いたパネル型テレビ装置等にディスクローダ部を内蔵する場合は、スロットイン方式を採用する方が装置の薄型化に有効である。
【０００４】
スロットイン方式のディスクローダ部を内蔵したパネル型テレビ装置では、省電力化を図るため、一般に、ディスクの搬送やディスクの再生等のようなディスク処理を行わないときは、ディスクローダ部の電源をオフ状態（ディスクローダ部の各部への駆動電力の供給を遮断した状態）にしている。また、当該装置では、ユーザの操作負担を軽減する等の便宜を図るため、ディスクが開口から挿入されると、それを検出して、直ちにディスクローダ部およびテレビ部の電源をオン状態（ディスクローダ部およびテレビ部の各部へ駆動電力を供給する状態）にし、自動的にディスクローダ部で該ディスクを再生して、テレビ部で映像および音声を出力させることが必要である。
【０００５】
従来、スロットイン方式を採用した単一型の装置では、例えば下記の特許文献１、２に開示されているように、ＣＰＵ等の制御手段が、装置内のディスクの有無を検知するセンサ等の検知手段の状態に基づいて、ディスクの装填状態を検出し、該検出結果に応じて各部の動作を制御して、ディスクの搬送等の処理を行っている。このように制御手段でディスク検出処理を行うと、自動的に各部を動作させてディスク処理を行えるようになる。
【０００６】
なお、下記の特許文献３には、トレイ方式を採用したパーソナルコンピュータ等において、ディスクローダ部の電源オフ中に、イジェクトボタンの押下を検出して、ディスクローダ部へ電力を供給し、ディスクローダ部のトレー・ローディング機構を動作させる電気回路が開示されている。しかし、特許文献３には、ディスクの検出や再生等の処理については何ら記載されていない。
【特許文献１】特開２００１−１２６３５７号公報
【特許文献２】特開２００３−２１７２０８号公報
【特許文献３】特開平１１−１４９６８９号公報
【発明の開示】
【発明が解決しようとする課題】
【０００７】
スロットイン方式のディスクローダ内蔵パネル型テレビ装置において、ディスクローダ部に特許文献１、２のような単一型の装置用に開発された既存の制御手段を組み込むと、該制御手段でディスク検出処理を行って、直ちにディスク処理を自動実行できるようになる上、制御手段の設計や開発に手間と時間がかからず、製造コストを削減できるという利点がある。しかしながら、上述したようにディスク処理時以外は、省電力化によりディスクローダ部の電源をオフ状態にするため、ディスクローダ部の制御手段が駆動せず、ディスクを検出できない。代わりに、テレビ部に組み込む制御手段で同様にディスク検出処理を行うことが考えられるが、テレビ部の制御手段は、ディスクローダ部から入力されるディスク再生信号や外部からチューナ等を介して入力されるテレビジョン信号に基づいて映像や音声を出力するように各部の動作制御を行う等、他に行わなければならない処理が多量にあるため、かかる負担が大きくなる。
【０００８】
本発明は、以上の問題点を解決するものであって、その課題とするところは、テレビ部の処理の軽減を図りつつ、ディスクの装填状態を常時検出可能なディスクローダ内蔵パネル型テレビ装置を提供することにある。
【課題を解決するための手段】
【０００９】
本発明では、側面の開口から挿入されたディスクを処理するディスクローダ部と、該ディスクローダ部から入力されるディスク再生信号または外部から入力されるテレビジョン信号に基づいて映像および音声を出力するテレビ部とを備え、ディスクローダ部に、内部のディスクの有無を検知して状態が変化する検知手段と、該検知手段の状態に基づいてディスクの装填状態を検出するディスク検出処理を行う制御手段とが設けられ、ディスク処理時以外はディスクローダ部の電源をオフ状態にするディスクローダ内蔵パネル型テレビ装置において、テレビ部に、検知手段の状態に基づいてディスク検出処理を行う制御手段を設け、検知手段とテレビ部の制御手段とへ、常時駆動電力を供給し、ディスクローダ部の電源オン中は、ディスクローダ部の制御手段でディスク検出処理を行い、電源オフ中は、テレビ部の制御手段でディスク検出処理を行う。
【００１０】
このようにすると、ディスクローダ部の電源オフ中は、テレビ部の制御手段でディスク検出処理を行うので、該制御手段でディスクローダ部内へディスクが挿入されたことを検出して、直ちにディスク処理を自動実行することができるとともに、ディスクローダ部の制御手段へ駆動電力を供給する必要がなく、省電力化を図ることができる。また、ディスクローダ部の電源オン中は、ディスクローダ部の制御手段でディスク検出処理を行うので、テレビ部の制御手段で検知手段の状態を監視してディスク検出処理を行う必要がなく、該制御手段の負担を軽減することができる。さらに、ディスクローダ部の制御手段として、単一型の装置用に開発された既存の制御手段を用いることができ、該制御手段の設計や開発に手間と時間がかからず、製造コストを削減することが可能となる。よって、ディスクローダ内蔵パネル型テレビ装置において、テレビ部の処理の軽減を図りつつ、ディスクの装填状態を常時検出可能となる。
【００１１】
また、本発明の実施形態では、側面の開口から挿入されたディスクに対して搬送およびデータの処理を行うディスクローダ部と、該ディスクローダ部から入力されるディスク再生信号または外部から入力されるテレビジョン信号に基づいて映像および音声を出力するテレビ部とを備え、ディスクローダ部に、内部のディスクの有無を検知して状態が変化するディスクセンサと、ディスクローダ部の各部の動作制御を行いかつディスクセンサの状態に基づいてディスクの装填状態を検出するディスク検出処理を行うサブマイクロコンピュータとが設けられ、ディスク処理時以外はディスクローダ部の電源をオフ状態にするディスクローダ内蔵パネル型テレビ装置において、テレビ部に、テレビ部の各部の動作制御を行いかつサブマイクロコンピュータへ動作指示を出しかつディスクセンサの状態に基づいてディスク検出処理を行うメインマイクロコンピュータを設け、ディスクセンサとメインマイクロコンピュータとへ、常時駆動電力を供給し、ディスクローダ部の電源オン中は、サブマイクロコンピュータでディスク検出処理を行い、電源オフ中は、メインマイクロコンピュータでディスク検出処理を行う。
【００１２】
このようにすると、ディスクローダ部の電源オフ中は、テレビ部のメインマイクロコンピュータでディスク検出処理を行うので、メインマイクロコンピュータでディスクローダ部内へディスクが挿入されたことを検出して、直ちにディスクの搬送およびデータの再生等のディスク処理を自動実行することができるとともに、ディスクローダ部のサブマイクロコンピュータへ駆動電力を供給する必要がなく、省電力化を図ることができる。また、ディスクローダ部の電源オン中は、ディスクローダ部のサブマイクロコンピュータでディスク検出処理を行うので、テレビ部のメインマイクロコンピュータでディスクセンサの状態を監視してディスク検出処理を行う必要がなく、メインマイクロコンピュータの負担を軽減することができる。さらに、ディスクローダ部のサブマイクロコンピュータとして、単一型の装置用に開発された既存の制御手段を用いることができ、該サブマイクロコンピュータの設計や開発に手間と時間がかからず、製造コストを削減することが可能となる。よって、ディスクローダ内蔵パネル型テレビ装置において、テレビ部の処理の軽減を図りつつ、ディスクの装填状態を常時検出可能となる。
【発明の効果】
【００１３】
本発明によれば、ディスクローダ内蔵パネル型テレビ装置において、ディスクローダ部の電源オフ中は、ディスク検出処理をテレビ部で行い、電源オン中は、ディスク検出処理をディスクローダ部で行って、テレビ部で行う必要はないので、テレビ部の処理の軽減を図りつつ、ディスクの装填状態を常時検出可能となる。
【発明を実施するための最良の形態】
【００１４】
図１は、本発明の実施形態に係るディスクローダ内蔵パネル型テレビ装置のブロック図である。ディスクローダ内蔵パネル型テレビ装置（以下、単に「パネル型テレビ装置」という。）１００は、大別して、テレビジョン受像機としての機能を有するテレビ部１、スロットイン方式のディスクローディング機能を有するディスクローダ部２、外部から電源コード（図示省略）等を介してＡＣ電源が供給される電源部３、および遠隔操作用のリモートコントローラ４（以下、単に「リモコン」という。）から構成されている。
【００１５】
テレビ部１の制御手段としてのメインマイクロコンピュータ（以下、単に「メインマイコン」という。）１１は、ＣＰＵやＲＯＭおよびＲＡＭといったメモリ等から構成されていて、テレビ部１の各部や電源部３等の動作制御を行うとともに、ディスクローダ部２へ動作指示を出す。チューナ１２は、アンテナ６で受信されたテレビジョン放送電波から所定のチャンネルのテレビジョン信号を抽出する。信号処理部１３は、チューナ１２から入力されるテレビジョン信号またはディスクローダ２側から入力されるディスク再生信号に基づいて、ＬＣＤ（Liquid Crystal Display）１４に映像を表示可能な映像信号と、スピーカ１５から音声を出力可能な音声信号とを生成し、ＬＣＤ１４およびスピーカ１５にそれぞれ出力する。ＬＣＤ１４は、液晶セル、バックライト、およびドライバＩＣ等から構成されていて、信号処理部１３から入力される映像信号に基づく映像を表示する。スピーカ６は、アンプ回路等を含んでいて、信号処理部１３から入力される音声信号に基づく音声を出力する。操作部１６は、パネル型テレビ装置１００の筐体の前面に設けられた各種の操作キー、ＬＥＤ（Light Emitting Diode）、およびリモコン４からの信号を受信するリモコン受信部等から構成されている。
【００１６】
ディスクローダ部２の制御手段としてのサブマイクロコンピュータ（以下、単に「サブマイコン」という。）２１は、ＣＰＵやＲＯＭおよびＲＡＭといったメモリ等から構成されていて、ディスクローダ部２の各部の動作制御を行う。このサブマイコン２１としては、据え置き型のＤＶＤ（Digital Versatile Disk）プレーヤ用に開発した既存のマイコンを用いている。ディスクリードライト部２２は、光ピックアップやモータやサーボ回路等から構成されていて、パネル型テレビ装置１００の筐体の横側面に設けられた開口（図示省略）から内部へ挿入された記録媒体としてのＤＶＤ５に対して、ＤＶＤ５に記録された映像や音声のデータの読み取りおよびＤＶＤ５への映像や音声のデータの書き込み等を行う。信号処理部２３は、ディスクリードライト部２２で読み取ったＤＶＤ５のＭＰＥＧ（Moving Picture Experts Group）形式のデータを再生処理して、ディスク再生信号としてテレビ部１の信号処理部１３へ入力したり、信号処理部１３から入力される映像信号および音声信号をＭＰＥＧ変換して、該ＭＰＥＧ形式のデータをディスクリードライト部２２へ入力したりする。ディスク搬送部２４は、ローラ、ギヤ、およびモータ等から構成されていて、パネル型テレビ装置１００の開口から挿入されたＤＶＤ５をディスクリードライト部２２で処理可能な内部の位置まで搬送して装填したり、内部にあるＤＶＤ５を開口から取り出し可能な位置まで搬送したりする。検知手段としてのディスクセンサ２５は、フォトセンサまたはマイクロスイッチ等から構成されていて、内部のＤＶＤ５の有無を検知してオン（以下、「ＯＮ」と記す。）状態またはオフ（以下、「ＯＦＦ」と記す。）状態に変化する。メインマイコン１１とサブマイコン２１は、ディスクセンサ２５のＯＮ・ＯＦＦ状態に基づいてＤＶＤ５の装填状態を検出するディスク検出処理を行う。
【００１７】
電源部３は、メインマイコン１１とディスクセンサ２５と操作部１６へは、常時駆動電力を供給し、これら以外のテレビ部１およびディスクローダ部２の各部へは、スイッチ３１、３２が接続されたときに駆動電力を供給する。つまり、テレビ部１およびディスクローダ部２は、スイッチ３１、３２がそれぞれ接続されると、ＯＮ状態（起動状態）になり、スイッチ３１、３２がそれぞれ開放されると、ＯＦＦ状態（未起動状態）になる。スイッチ３１、３２の接続および開放の切り替えは、メインマイコン１１が行う。メインマイコン１１は、ＤＶＤ５の搬送やデータの再生等のディスク処理を行わないときは、スイッチ３２を開放して、ディスクローダ部２をＯＦＦ状態にする。
【００１８】
図２は、リモコン４の外観図である。リモコン４の表面には、押下操作される複数の操作キーが設けられ、内部には、押下操作されてＯＮ状態になったキーを示す赤外線信号をパネル型テレビ装置１００の操作部１６へ送信するための回路等が設けられている。操作キーとしては、例えば電源キー４ａ、チャンネルキー４ｂ、音量キー４ｃ、ＤＶＤモードキー４ｄ、再生キー４ｅ、録画キー４ｆ、およびイジェクトキー４ｇ等が設けられている。操作部１６にも、これらと同様の操作キーが設けられている。テレビ部１のメインマイコン１１は、操作部１６およびリモコン４の各操作キーの操作状態を常時監視している。
【００１９】
図３は、テレビ部１のメインマイコン１１が行う処理の手順を示すフローチャートである。パネル型テレビ装置１００の電源部３に外部からＡＣ電源が供給されている状態において、メインマイコン１１は、前述の操作部１６およびリモコン４の各操作キーの状態監視を常時行う（ステップＳ１）。該監視中に、電源キー４ａが操作されてＯＮ状態になると（ステップＳ２：ＹＥＳ）、メインマイコン１１は、テレビ部１の電源がＯＮ状態か否かを確認する（ステップＳ３）。ここでテレビ部１の電源がＯＦＦ状態であれば（ステップＳ３：ＮＯ）、メインマイコン１１は、テレビ部１のみを起動するため、前述のスイッチ３１を接続して、テレビ部１の電源をＯＮ状態にし（ステップＳ８）、前述のスイッチ３２は開放して、ディスクローダ部２の電源をＯＦＦ状態のままにする（ステップＳ９）。そして、メインマイコン１１はテレビ部１の各部を制御して、該キーに応じたテレビ処理を実行する（ステップＳ１０）。この場合、操作されたのは電源キー４ａなので、前回の起動時に選局されていたチャンネルのテレビジョン信号が前述のチューナ１２から信号処理部１３へ入力されて、信号処理部１３で信号処理され、該信号に基づく映像が前述のＬＣＤ１４に表示され、音声が前述のスピーカ１５から出力される（ステップＳ１１）。これに対して、ステップＳ３でテレビ部１の電源がＯＮ状態であれば（ステップＳ３：ＹＥＳ）、メインマイコン１１は、テレビ部１とディスクローダ部２を未起動状態にするため、スイッチ３１を開放して、テレビ部１の電源をＯＦＦ状態にし（ステップＳ４）、スイッチ３２を開放して、ディスクローダ部２の電源をＯＦＦ状態にし（ステップＳ５）、ＬＣＤ１４およびスピーカ１５での映像および音声の出力を停止する（ステップＳ６）。
【００２０】
また、電源キー４ａがＯＦＦ状態のまま（ステップＳ２：ＮＯ）、前述のチャンネルキー４ｂ等のテレビモードへの移行指示キーが操作されてＯＮ状態になっても（ステップＳ７：ＹＥＳ）、メインマイコン１１は、テレビ部１のみを起動するため、スイッチ３１を接続して、テレビ部１の電源をＯＮ状態にし（ステップＳ８）、スイッチ３２は開放して、ディスクローダ部２の電源をＯＦＦ状態のままにする（ステップＳ９）。そして、メインマイコン１１は、該キーに応じたテレビ処理を実行する（ステップＳ１０）。例えば、操作されたのがチャンネルキー４ｂであれば、該操作により選局されていたチャンネルのテレビジョン信号がチューナ１２から信号処理部１３へ入力されて、信号処理部１３で信号処理され、該信号に基づく映像がＬＣＤ１４に表示され、音声がスピーカ１５から出力される（ステップＳ１１）。
【００２１】
一方、電源キー４ａおよびテレビモードへの移行指示キーがＯＦＦ状態のまま（ステップＳ２：ＮＯ、かつステップＳ７：ＮＯ）、前述のＤＶＤモードキー４ｄ、再生キーｅ、またはイジェクトキー４ｇ等のＤＶＤモードへの移行指示キーが操作されてＯＮ状態になると（ステップＳ１２：ＹＥＳ）、メインマイコン１１は、テレビ部１とディスクローダ部２とを両方起動するため、スイッチ３１を接続して、テレビ部１の電源をＯＮ状態にし（ステップＳ１３）、スイッチ３２を接続して、ディスクローダ部２の電源をＯＮ状態にする（ステップＳ１４）。そして、メインマイコン１１は、該キーに応じたＤＶＤ処理をサブマイコン２１へ指示する（ステップＳ１５）。この後、サブマイコン２１がディスクローダ部２の各部を制御して、メインマイコン１１に指示されたＤＶＤ処理を実行する。例えば、操作されたのが再生キー４ｅであれば、ディスクローダ部２で内部に装填されているＤＶＤ５のデータが読み取られて再生され、テレビ部１でディスクローダ部２から入力される該ディスク再生信号に基づく映像がＬＣＤ１４に表示され、音声がスピーカ１５から出力される（ステップＳ１６）。
【００２２】
また、電源キー４ａ、テレビモードへの移行指示キー、およびＤＶＤモードへの移行指示キーがＯＦＦ状態のまま（ステップＳ２：ＮＯ、かつステップＳ７：ＮＯ、かつステップＳ１２：ＮＯ）、前述の音量キー４ｃまたは録画キー４ｆ等のその他のキーが操作されてＯＮ状態になると（ステップＳ１７：ＹＥＳ）、メインマイコン１１は、テレビ部１の電源がＯＮ状態か否かを確認する（ステップＳ１８）。ここでテレビ部１の電源がＯＮ状態であれば（ステップＳ１８：ＹＥＳ）、メインマイコン１１は、該キーに応じたテレビ処理の実行、またはディスクローダ部２の電源をＯＮ状態にして、該キーに応じたＤＶＤ処理のサブマイコン２１への指示を行う（ステップＳ１９）。例えば、操作されたのが音量キー４ｃであれば、テレビ部１でＬＣＤ１４に表示する映像の状態はそのままで、スピーカ１５から出力される音量が該操作に応じて調節される（ステップＳ２０）。また、操作されたのが録画キー４ｆであれば、テレビ部１でチューナ１２から入力されるテレビジョン信号に基づく映像および音声がＬＣＤ１４およびスピーカ１５から出力される（ステップＳ２０）とともに、テレビ部１でチューナ１２からのテレビジョン信号に基づく録画用の映像および音声のデータが生成されて、ディスクローダ部２へ出力され、ディスクローダ部２で該映像および音声のデータがＤＶＤ５に記録される。なお、いずれの操作キーもＯＮ状態にならなかったり（ステップＳ１７：ＮＯ）、その他のキーが操作されてもテレビ部１の電源がＯＦＦ状態であったりした（ステップＳ１８：ＮＯ）場合は、メインマイコン１１は何もせず、各操作キーの状態監視を継続する（ステップＳ１）。
【００２３】
図４は、テレビ部１のメインマイコン１１が図３の各処理と独立して行うディスク検出処理の手順を示すフローチャートである。ディスクローダ部２の電源がＯＦＦ状態になると、メインマイコン１１は、前述のディスクセンサ２５の状態監視を行う（ステップＳ２１）。該監視中に、ディスクセンサ２５がＯＦＦ状態からＯＮ状態に切り替わると（ステップＳ２２：ＹＥＳ）、メインマイコン１１は、パネル型テレビ装置１００の開口からＤＶＤ５が挿入されたと判断する（ステップＳ２３）。そして、メインマイコン１１は、テレビ部１とディスクローダ部２とを両方起動するために、スイッチ３１を接続して、テレビ部１の電源をＯＮ状態にし（ステップＳ２４）、スイッチ３２を接続して、ディスクローダ部２の電源をＯＮ状態にし（ステップＳ２５）、続けて、挿入されたＤＶＤ５の取り込みとＤＶＤ５のデータの再生をサブマイコン２１へ指示する（ステップＳ２６）。この後、ディスクローダ部２で、サブマイコン２１がディスク搬送部２４によってＤＶＤ５を内部へ搬送して、ディスクリードライト部２２と信号処理部２３とによってＤＶＤ５のデータを再生し、テレビ部１で該ディスク再生信号に基づく映像がＬＣＤ１４に表示され、音声がスピーカ１５から出力される。
【００２４】
一方、ディスクセンサ２５がＯＦＦ状態を継続している場合は（ステップＳ２７：ＹＥＳ）、メインマイコン１１は、ＤＶＤ５が未装填であると判断し（ステップＳ２８）、ディスクセンサ２５の状態監視を継続する（ステップＳ２１）。この場合、前述の再生キー４ｅや録画キー４ｆ等のＤＶＤ処理に関する操作キーが操作されても、該キーに応じたＤＶＤ処理はＤＶＤ５に対して実行されない。また、ディスクセンサ２５がＯＮ状態になった後、ＯＮ状態を継続している場合は（ステップＳ２９：ＹＥＳ）、メインマイコン１１は、ＤＶＤ５が装填中であると判断し（ステップＳ３０）、ディスクセンサ２５の状態監視を継続する（ステップＳ２１）。この場合、ＤＶＤ処理に関する操作キーが操作されると、該キーに応じたＤＶＤ処理がＤＶＤ５に対して実行される。なお、ディスクセンサ２５がＯＦＦ状態からＯＮ状態へ切り替わらず（ステップＳ２２：ＮＯ）、ＯＮ状態またはＯＦＦ状態を継続していない（ステップＳ２７：ＮＯ、かつステップＳ２９：ＮＯ）場合、即ちディスクセンサ２５がＯＮ状態からＯＦＦ状態へ切り替わった場合は、メインマイコン１１は検出せず、各操作キーの状態監視を継続する（ステップＳ１）。
【００２５】
図５は、ディスクローダ部２のサブマイコン２１が行う処理の手順を示すフローチャートである。ディスクローダ部２の電源がＯＮ状態になると、サブマイコン２１は、ディスクローダ部２の各部を待機状態にして、メインマイコン１１からの指示を待つ（ステップＳ３１）。そして、メインマイコン１１から指示があると（ステップＳ３２：ＹＥＳ）、サブマイコン２１はディスクローダ部２の各部を制御して、該指示に応じたＤＶＤ処理を実行する（ステップＳ３３）。ＤＶＤ処理の内容は、図３および図４で述べた通りである。
【００２６】
図６は、ディスクローダ部２のサブマイコン２１が図５の各処理と独立して行うディスク検出処理の手順を示すフローチャートである。ディスクローダ部２の電源がＯＮ状態になると、サブマイコン２１は、ディスクセンサ２５の状態監視を行う（ステップＳ４１）。該監視中に、ディスクセンサ２５がＯＦＦ状態からＯＮ状態に切り替わると（ステップＳ４２：ＹＥＳ）、サブマイコン２１は、開口からＤＶＤ５が挿入されたと判断する（ステップＳ４３）。そして、サブマイコン２１は、挿入されたＤＶＤ５をディスク搬送部２４によって内部へ搬送して取り込み（ステップＳ４４）、ディスクリードライト部２２と信号処理部２３によってＤＶＤ５のデータを再生する（ステップＳ４５）。これにより、テレビ部１で該ディスク再生信号に基づく映像がＬＣＤ１４に表示され、音声がスピーカ１５から出力される。
【００２７】
一方、ディスクセンサ２５がＯＦＦ状態を継続している場合は（ステップＳ４６：ＹＥＳ）、サブマイコン２１は、ＤＶＤ５が未装填であると判断し（ステップＳ４７）、ディスクセンサ２５の状態監視を継続する（ステップＳ４１）。この場合、ＤＶＤ処理に関する操作キーが操作されても、ＤＶＤ５が未装填であることがサブマイコン２１からメインマイコン１１へ通知され、該キーに応じたＤＶＤ処理はＤＶＤ５に対して実行されない。また、ディスクセンサ２５がＯＮ状態になった後、ＯＮ状態を継続している場合は（ステップＳ４８：ＹＥＳ）、サブマイコン２１は、ＤＶＤ５が装填中であると判断し（ステップＳ４９）、ディスクセンサ２５の状態監視を継続する（ステップＳ４１）。この場合、ＤＶＤ処理に関する操作キーが操作されると、該キーに応じたＤＶＤ処理がＤＶＤ５に対して実行される。さらに、ディスクセンサ２５がＯＮ状態からＯＦＦ状態へ切り替わった場合は（ステップＳ５０：ＹＥＳ）、内部から開口へ搬送したＤＶＤ５が取り去られたと判断し（ステップＳ５１）、ディスクセンサ２５の状態監視を継続する（ステップＳ４１）。このＤＶＤ５の取り去りの検出は、ディスク搬送部２４の動作制御を行う上で必要である。
【００２８】
以上説明した図３〜図６の要部をまとめると、図７に示すようになる。つまり、パネル型テレビ装置１００にＡＣ電源が供給されている状態において（ステップＳ６０）、ディスクローダ部２の電源ＯＦＦ中は（ステップＳ６１：ＮＯ）、テレビ部１のメインマイコン１１でディスク検出処理を実行することにより（ステップＳ６２）、メインマイコン１１でＤＶＤ５の挿入を検出した後、直ちにＤＶＤ５の搬送およびデータの再生等のディスク処理を自動的に実行することができる（ステップＳ６３）とともに、ディスクローダ部２のサブマイコン２１へ駆動電力を供給する必要がなく、省電力化を図ることができる（ステップＳ６４）。また、ディスクローダ部２の電源ＯＮ中は（ステップＳ６１：ＹＥＳ）、ディスクローダ部２のサブマイコン２１でディスク検出処理を実行することにより（ステップＳ６５）、テレビ部１のメインマイコン１１でディスクセンサ２５の状態を監視してディスク検出処理を行う必要がなく、メインマイコン１１の負担を軽減することができる（ステップＳ６６）。さらに、ディスクローダ部２のサブマイコン２１として、据え置き型のＤＶＤプレーヤ用に開発した既存のマイコンを用いているので、該サブマイコン２１の設計や開発に手間と時間がかからず、製造コストを削減することが可能となる。よって、ディスクローダ内蔵パネル型テレビ装置１００において、テレビ部１の処理の軽減を図りつつ、ＤＶＤ５の装填状態を常時検出可能となる。
【００２９】
以上述べた実施形態では、ＬＣＤ１４が組み込まれ、ＤＶＤ５に対して再生および録画を行うディスクローダ部２が内蔵されたディスクローダ内蔵パネル型テレビ装置１００に、本発明を適用した場合を例に挙げているが、本発明はこれ以外にも、例えば、ＰＤＰ（Plasma Display Panel）等の薄型ディスプレイが組み込まれたり、ブルーレイディスクのような映像等を記録可能なディスクを再生したりするディスクローダ内蔵パネル型テレビ装置に適用することが可能である。
【図面の簡単な説明】
【００３０】
【図１】ディスクローダ内蔵パネル型テレビ装置のブロック図である。
【図２】同装置のリモートコントローラの外観図である。
【図３】同装置のメインマイクロコンピュータのフローチャートである。
【図４】同装置のメインマイクロコンピュータのフローチャートである。
【図５】同装置のサブマイクロコンピュータのフローチャートである。
【図６】同装置のサブマイクロコンピュータのフローチャートである。
【図７】同装置のまとめのフローチャートである。
【符号の説明】
【００３１】
１  テレビ部
２  ディスクローダ部
５  ＤＶＤ
１１  メインマイクロコンピュータ
２１  サブマイクロコンピュータ
２５  ディスクセンサ
１００  ディスクローダ内蔵パネル型テレビ装置
【図１】
0004696763.tif 000002
【図２】
0004696763.tif 000003
【図３】
0004696763.tif 000004
【図４】
0004696763.tif 000005
【図５】
0004696763.tif 000006
【図６】
0004696763.tif 000007
【図７】
0004696763.tif 000008